(57)【要約】      （修正有）【課題】間接照明効果による空間演出が可能な有機ＥＬ照明パネル付厨子を提供する。【解決手段】厨子の収容部２の天面及び底面に設けられた有機ＥＬ照明パネル部３ａ、３ｂと有機ＥＬ照明パネル部３ｂの下方に設けられた有機ＥＬ照明パネル部３ａ、３ｂを制御する制御部４とで有機ＥＬ照明装置部を構成し、有機ＥＬ照明パネル部３ａの下方及び有機ＥＬ照明パネル部３ｂの上方にアクリル板部９ａ、９ｂを設け、収容部２の左右側面及び後面に設けられた金箔シート部１０を設け、スイッチ部８のオンにより有機ＥＬ照明装置部が駆動されると有機ＥＬ照明パネル部３ａ、３ｂからの光が金箔シート部１０に反射して間接照明としての効果を発揮し、調光・調色機能と併せて礼拝時の空間演出が実現される。【選択図】図１
0003219496.tif 000002
【実用新案登録請求の範囲】
【請求項１】
収容部が形成された厨子であって、
前記収容部の天面及び底面に設けられた有機ＥＬ照明パネル部及び前記底面側の有機ＥＬ照明パネル部の下方に設けられた前記有機ＥＬ照明パネル部を制御する制御部から成る有機ＥＬ照明装置部と、
前記天面側の有機ＥＬ照明パネル部の下方及び前記底面側の有機ＥＬ照明パネル部の上方に設けられた透明又は半透明のアクリル板部と、
前記厨子の一部に設けられた前記前記有機ＥＬ照明装置部を駆動するスイッチ部と、
前記収容部の左右側面部及び後面部に設けられた金箔シート部と、
を備えること、
を特徴とする有機ＥＬ照明パネル付厨子。
【請求項２】
前記有機ＥＬ照明パネル部は前記制御部の制御により調光及び／又は調色可能であること、を特徴とする請求項１に記載の有機ＥＬ照明パネル付厨子。
【請求項３】
前記アクリル板部には模様が描かれていること、を特徴とする請求項１又は２に記載の有機ＥＬ照明パネル付厨子。
【請求項４】
前記有機ＥＬ照明パネル部と前記アクリル板部間には和紙が挿入されていること、を特徴とする請求項１乃至３のいずれか１項に記載の有機ＥＬ照明パネル付厨子。
【請求項５】
前記スイッチ部は指の接触又は近接又は人体感知によりスイッチ機能を発揮すること、を特徴とする請求項１乃至４のいずれか１項に記載の有機ＥＬ照明パネル付厨子。
【請求項６】
前記有機ＥＬ照明装置部はＡＣ電源又はＤＣ電源から電力が供給されること、を特徴とする請求項１乃至５のいずれか１項に記載の有機ＥＬ照明パネル付厨子。
【請求項７】
前記有機ＥＬ照明パネル部の光量及び／又は光色は電源のオンから一定時間自動的に制御されること、を特徴とする請求項１乃至６のいずれか１項に記載の有機ＥＬ照明パネル付厨子。
【考案の詳細な説明】
【技術分野】
【０００１】
本考案は、収容部の天面及び底面に有機ＥＬ照明パネルを備え、収容部の左右側面部及び後面部に金箔シートを備えた厨子に関する。
【背景技術】
【０００２】
従来、厨子や仏壇の照明装置としては、筐体内の天板部に白熱電球や蛍光灯等を設けるものが公知となっている。
【０００３】
しかし、白熱電球は、消費電力が大きい、寿命が短いために頻繁な交換作業が必要となり煩わしい、発熱量が多い等の問題がある。
【０００４】
また、蛍光灯は、光にチラつきがあるため目に優しくない、紫外線を多く放出するため被照射物である筐体や厨子内に納められた仏像等がダメージを受けやすい等の問題がある。
【０００５】
また、ＬＥＤ照明にも、光が人工的で演色性に乏しい等の問題がある。
【０００６】
また、天板部からの光のみでは厨子内の空間下部まで十分に照らすことができず、また厨子内に納められた仏像や位牌等にも濃い陰影が生じるため、礼拝時の雰囲気を損ねるという問題がある。
【０００７】
さらに、厨子は機能性よりも装飾性が重要視される傾向があり、正面に観音開きの戸が付けられ、各部に蒔絵や彩絵が施された重々しいデザインのものが一般的である。
【０００８】
しかし、近年は居室が和室よりも洋室である割合が圧倒的に多いため、そのような重々しいデザインの厨子を壁紙やフローリングを用いた洋室に設置した場合、砂壁や畳を用いた和室に設置した場合と比較して部屋の雰囲気になじまない、現代的なデザインの家具類と調和が取れない等の問題がある。
【先行技術文献】
【特許文献】
【０００９】
【特許文献１】実用新案登録第３２１０６５２号公報
【特許文献２】特開２０１３−２４０５１９号公報
【考案の開示】
【考案が解決しようとする課題】
【００１０】
本考案は、このような欠点を解消すべく、従来の白熱電球や蛍光灯に替えて有機ＥＬ照明パネルを用いることにより、洗練されたデザインを有し、間接照明効果による空間演出を実現しながら、長寿命、省電力、省スペースであり、被照射物にダメージを与えることのない照明装置を備えた厨子を提供することを目的とする。
【課題を解決するための手段】
【００１１】
上記目的を達成するため、請求項１に記載の考案は、有機ＥＬ照明パネル付厨子において、収容部が形成された厨子であって、前記収容部の天面及び底面に設けられた有機ＥＬ照明パネル部及び前記底面側の有機ＥＬ照明パネル部の下方に設けられた前記有機ＥＬ照明パネル部を制御する制御部から成る有機ＥＬ照明装置部と、前記天面側の有機ＥＬ照明パネル部の下方及び前記底面側の有機ＥＬ照明パネル部の上方に設けられた透明又は半透明のアクリル板部と、前記厨子の一部に設けられた前記前記有機ＥＬ照明装置部を駆動するスイッチ部と、前記収容部の左右側面部及び後面部に設けられた金箔シート部と、を備えることを特徴とする。
【００１２】
また、請求項２に記載の考案は、請求項１に記載の有機ＥＬ照明パネル付厨子において、前記有機ＥＬ照明パネル部は前記制御部の制御により調光及び／又は調色可能であることを特徴とする。
【００１３】
また、請求項３に記載の考案は、請求項１又は２に記載の有機ＥＬ照明パネル付厨子において、前記アクリル板部には模様が描かれていることを特徴とする。
【００１４】
また、請求項４に記載の考案は、請求項１乃至３のいずれか１項に記載の有機ＥＬ照明パネル付厨子において、前記有機ＥＬ照明パネル部と前記アクリル板部間には和紙が挿入されていることを特徴とする。
【００１５】
また、請求項５に記載の考案は、請求項１乃至４のいずれか１項に記載の有機ＥＬ照明パネル付厨子において、前記スイッチ部は指の接触又は近接又は人体感知によりスイッチ機能を発揮することを特徴とする。
【００１６】
また、請求項６に記載の考案は、請求項１乃至５のいずれか１項に記載の有機ＥＬ照明パネル付厨子において、前記有機ＥＬ照明装置部はＡＣ電源又はＤＣ電源から電力が供給されることを特徴とする。
【００１７】
また、請求項７に記載の考案は、請求項１乃至６のいずれか１項に記載の有機ＥＬ照明パネル付厨子において、前記有機ＥＬ照明パネル部の光量及び／又は光色は電源のオンから一定時間自動的に制御されることを特徴とする。
【考案の効果】
【００１８】
本考案によれば、調光・調色制御された有機ＥＬ照明パネル部及び金箔による間接照明効果により、礼拝時に適する様々な空間演出が可能となる。
【００１９】
また、照明として、厚みがなく省スペースであり、光源を感じさせない有機ＥＬ照明パネルを用いることにより照明装置の設置位置の自由度が増すため、厨子について多様なデザインを実現でき、柔軟なデザイン変更が可能となる。
【００２０】
また、有機ＥＬ照明パネルは面全体が発光するため明るさにムラがなく、また被照射物の反射が少ないため影ができにくい。
【００２１】
また、照明装置として、発熱量が少なく、紫外線を放出しない有機ＥＬ照明パネルを用いることにより、厨子の筐体や厨子内に納められた仏像、位牌、経典、形見、骨壷等の被照射物へのダメージを心配する必要がなくなる。
【００２２】
また、長寿命、省電力の有機ＥＬ照明パネルを用いることにより、照明装置のメンテナンスに手間がかからず、また省エネに寄与することができる。
【図面の簡単な説明】
【００２３】
【図１】厨子本体の構造を示す正面図である。
【図２】厨子本体の構造を示す右側面図である。
【図３】有機ＥＬ照明装置部においてスイッチがオン状態の際の電流の流れを示す回路図である。
【考案を実施するための形態】
【００２４】
以下、本考案の実施例を図面を基に詳細に説明する。
なお、図に示す厨子は収容部の前面が開口しているが、本考案は収容部の前面に戸が付けられたタイプの厨子に用いることも可能である。
【実施例１】
【００２５】
図１は本考案に係る厨子本体１の構造を示す正面図、図２は厨子本体１の構造を示す右側面図、図３は有機ＥＬ照明装置部においてスイッチがオン状態の際の電流の流れを示す回路図である。
【００２６】
厨子本体１は、前面が開口している収容部２を有しており、この収容部２の天面には有機ＥＬ照明パネル部３ａが、収容部２の底面には有機ＥＬ照明パネル部３ｂが組み付けられている。
【００２７】
有機ＥＬ照明パネル部３ｂの下方には有機ＥＬ照明パネル部３ａ、３ｂを制御するための制御部４が設けられており、制御部４と有機ＥＬ照明パネル部３ａ、３ｂとが電力線により接続されて有機ＥＬ照明装置部５が構成されている。
【００２８】
有機ＥＬ照明装置部５は電力線を介してＡＣ電源６又は電池７に接続されており、ＡＣ電源６又は電池７から電力が供給される。
【００２９】
そして、有機ＥＬ照明装置部５に電力が供給されると、制御部４の制御により有機ＥＬ照明パネル部３ａ、３ｂが発光する。
【００３０】
符号の８は有機ＥＬ照明装置部５への通電をオン・オフするスイッチ部であり、スイッチ部８は厨子本体１の右側壁等、使用者が操作し易い任意の位置に設けられる。
【００３１】
なお、スイッチ部８には、その機能性やデザイン性からタッチスイッチを用いるのが好ましく、またセンサーにより人体を感知すると電源がオンになるセンサースイッチを用いても良い。
【００３２】
符号の９ａ、９ｂは有機ＥＬ照明パネル部３ａ、３ｂを保護するために設けられた透明又は半透明のアクリル板部であり、アクリル板部９ａは有機ＥＬ照明パネル部３ａの下方に、アクリル板部９ｂは有機ＥＬ照明パネル部３ｂの上方に位置する。
【００３３】
アクリル板部９ａ、９ｂは無地であってもよいが、模様として、例えば桜の花の蒔絵が施されている場合、その蒔絵部分を有機ＥＬ照明パネル部３ａ、３ｂからの光が透過すると、アクリル板部９ａ、９ｂには鮮やかな桜の花の模様が浮かび上がり、ステンドグラスのような効果が得られる。
【００３４】
また、アクリル板部９ａと有機ＥＬ照明パネル部３ａ間、アクリル板部９ｂと有機ＥＬ照明パネル部３ｂ間に和紙等を挿入することにより、有機ＥＬ照明パネル部３ａ、３ｂの光を淡い光へと調整することができる。
【００３５】
符号の１０は収容部２の左右側面部及び後面部に設けられた金箔シート部であり、有機ＥＬ照明パネル部３ａ、３ｂが発光するとその光が金箔シート部１０に反射し、間接照明としての効果を発揮する。
【００３６】
そして、この間接照明効果及びパネル面全体が発光する有機ＥＬ照明パネル部３ａ、３ｂの上下からの光により、収容部２内に納められた仏像等及びその周囲の空間は黄金色の優しい光で包み込まれ、仏像等に後光が差すような荘厳かつ幻想的な演出が実現される。
【００３７】
また、有機ＥＬ照明パネル部３ａ、３ｂは制御部４の制御により調色が可能なため、光色を昼光色、白色、電球色等に調整することができる。
【００３８】
また、有機ＥＬ照明パネル部３ａ、３ｂは、制御部４の制御により調光が可能なため、礼拝時に使用者がスイッチ部８をオンにすると、制御部４に記憶された調光プログラムが実行され、有機ＥＬ照明パネル部３ａ、３ｂは発光を開始してから一定時間（例えば８秒間）をかけて徐々に光量を増やして最大光量に達し、この最大光量を一定時間（例えば８秒間）維持した後、一定時間（例えば８秒間）をかけて徐々に光量を減らして消光する、といった調光制御が可能となる。
【００３９】
この調光制御の例は、使用者が仏像等に合掌、低頭して敬意を表す礼拝時の一連の動作に即したものであり、上述した間接照明効果と併せて、日常生活とは異なる礼拝時の厳かな雰囲気を演出できる。
【符号の説明】
【００４０】
１  厨子本体
２  収容部
３ａ  有機ＥＬ照明パネル部
３ｂ  有機ＥＬ照明パネル部
４  制御部
５  有機ＥＬ照明装置部
６  ＡＣ電源
７  電池
８  スイッチ部
９ａ  アクリル板部
９ｂ  アクリル板部
１０  金箔シート部
【図１】
0003219496.tif 000003
【図２】
0003219496.tif 000004
【図３】
0003219496.tif 000005